(57)【特許請求の範囲】
【請求項１】
複数の基材を積層方向に積層してなる積層部と、
前記積層部の積層方向の一方主面に設けられている複数の底面電極と、
前記積層部の内部を通過して設けられており、少なくともいずれかの前記底面電極に接続されている高周波回路部と、
それぞれ、前記積層部のいずれかの層間に設けられてグランド用の前記底面電極に接続されており、前記積層部の外縁に沿って前記高周波回路部の外側を延伸する有端線路からなり、前記積層方向から透視すると互いに無端状に連なっている、複数のグランド用内部電極と、
を備える高周波モジュール。
【請求項２】
前記高周波回路部は、前記積層部の一方主面とは反対側の他方主面に搭載される表面実装型素子を備え、
前記グランド用の底面電極は、積層方向から透視すると前記高周波回路部に重なっている、
請求項１に記載の高周波モジュール。
【請求項３】
前記複数のグランド用内部電極それぞれの端部は、前記積層方向から透視すると前記積層部の角部分で互いに重なり合っている、
請求項１または２に記載の高周波モジュール。
【請求項４】
前記積層部は、第１乃至第４の基材を含む立方体であり、
前記複数のグランド用内部電極として、
前記積層方向から視て前記積層部の第１の辺に沿って前記第１の基材に設けられている第１のグランド用内部電極と、
前記第１の辺に直交する第２の辺に沿って前記第２の基材に設けられている第２のグランド用内部電極と、
前記第２の辺に直交する第３の辺に沿って前記第３の基材に設けられている第３のグランド用内部電極と、
前記第３の辺に直交する第４の辺に沿って前記第４の基材に設けられている第４のグランド用内部電極と、
を備える、請求項１〜３のいずれかに記載の高周波モジュール。
【請求項５】
前記第１の基材と前記第２の基材と前記第３の基材と前記第４の基材とは、記載順に従った順番で積層方向に並んでいる、請求項４に記載の高周波モジュール。
【請求項６】
前記積層部は、第１および第２の基材を含む立方体であり、
前記複数のグランド用内部電極として、
前記積層方向から視て前記積層部の第１の辺に沿って前記第１の基材に設けられている第１のグランド用内部電極と、
前記第１の辺に対して直交する第２の辺に沿って前記第２の基材に設けられている第２のグランド用内部電極と、
前記第２の辺に対して直交する第３の辺に沿って前記第１の基材に設けられている第３のグランド用内部電極と、
前記第３の辺に対して直交する第４の辺に沿って前記第２の基材に設けられている第４のグランド用内部電極と、
を備える、請求項１〜３のいずれかに記載の高周波モジュール。
【請求項７】
前記積層部は、第１および第２の基材を含む立方体であり、
前記複数のグランド用内部電極として、
前記積層方向から視て前記積層部の第１の辺と前記第１の辺に直交する第２の辺とに沿って前記第１の基材に設けられている第１のグランド用内部電極と、
前記第２の辺に直交する第３の辺と前記第３の辺に直交する第４の辺に沿って前記第２の基材に設けられている第２のグランド用内部電極と、を備える、請求項１〜３のいずれかに記載の高周波モジュール。
【発明の詳細な説明】
【技術分野】
【０００１】
本発明は、複数の基材が積層された積層基板の内部に、グランドに接続される内部電極およびビア電極と、高周波回路構成部とが設けられている高周波モジュールに関する。
【背景技術】
【０００２】
高周波モジュールは、高周波回路を構成する能動素子や受動素子、配線を、積層基板の内部や積層基板の天面に搭載して構成される。積層基板は、複数の基材を積層し、層間に内部電極を設けるとともに、層内を貫通するビア電極を設けて構成される（例えば、特許文献１参照）。【０００３】
図６は、従来例に係る高周波モジュールを構成する積層基板の斜視図である。【０００４】
図６に示す積層基板１０１は、複数の基材からなる積層部１０２と、積層部１０２の層間に設けられているグランド用の内部電極１０３と、積層部１０２の層内に設けられているグランド用のビア電極１０４と、を備えている。内部電極１０３は、積層方向から視た積層部１０２の外縁（以下、積層方向から視た外縁を、単に外縁と称する。）に沿って無端状に設けられている。ビア電極１０４は、積層部１０２の外縁に沿って密に配列されており、対向する内部電極１０３同士を接続している。したがって、高周波モジュール１０１は、グランド用の内部電極１０３とビア電極１０４とにより、積層部２の外縁での高周波ノイズに対するシールド性を得ている。
【先行技術文献】
【特許文献】
【０００５】
【特許文献１】実開平０６−５２１９１号公報
【発明の概要】
【発明が解決しようとする課題】
【０００６】
従来例に係る高周波モジュールでは、グランド用の内部電極１０３が積層部１０２の外縁に沿って設けられているため、内部電極１０３の厚み分だけ積層部１０２の外縁周辺の厚みが増してしまう。その上、製造時に生じる積層部１０２の厚み縮小量は、ビア電極の周囲で小さくなるため、グランド用のビア電極１０４の数が多い場合には、積層部１０２の外縁周辺と中心部とで厚みが大きく相違してしまう。したがって、高い平坦度で積層部１０２を成形するためには、積層部１０２の層数や、内部電極１０３の数、ビア電極１０４の数は少ない方が望ましい。【０００７】
しかしながら、従来例に係る高周波モジュールでは、積層部１０２の全ての層で、外縁の全周に沿って内部電極１０３が設けられているために、内部電極１０３よりも内側の面積が小さく、面積利用効率が低い。したがって、積層部１０２に多数の能動素子や受動素子を搭載する複雑な配線構造を実現するためには、積層部１０２の層数や、内部電極１０３の数を減らすことが難しかった。【０００８】
また、内部電極１０３が積層部１０２の外縁の全長と殆ど同じ全長で設けられているために、ビア電極１０４の数を少なくした場合、内部電極１０３が誘導性を持ち、内部電極１０３にグランド電位からの電位差が生じて高周波特性が劣化してしまう。したがって高周波特性の劣化を防ぐためには、ビア電極１０４の数を大きく減らすことも難しかった。【０００９】
このように従来例に係る高周波モジュール１０１は、複雑な配線構造や良好な高周波特性を確保するために、積層部１０２の層数や、内部電極１０３の数、ビア電極１０４の数を減らすことができず、高い平坦度を実現することが難しかった。【００１０】
さらには、従来例に係る積層基板１０１では、積層部１０２の外縁付近における金属密度が高いために、製造時に内部残留物から放出されるガスの透過（ガス抜け）が妨げられて積層部１０２の層間でデラミネーションが発生し易く、信頼性が低下する問題もあった。【００１１】
そこで本発明の目的は、グランド用の内部電極やビア電極の数を減らしても、配線構造が複雑な高周波回路や、高周波特性が良好な高周波回路を構成することが可能であり、高い平坦性と信頼性とシールド性とを実現することができる、高周波モジュールを提供することにある。
【課題を解決するための手段】
【００１２】
本発明に係る高周波モジュールは、積層部と、複数の底面電極と、高周波回路部と、複数のグランド用内部電極と、を備えている。積層部は、複数の基材を積層方向に積層してなる。底面電極は、積層部の積層方向の一方主面に設けられている。高周波回路部は、積層部の内部を通過して設けられており、少なくともいずれかの底面電極に接続されている。複数のグランド用内部電極は、それぞれ、積層部のいずれかの層間に設けられてグランド用の底面電極に接続されており、積層部の外縁に沿って高周波回路部の外側を延伸する有端線路からなり、積層方向から透視すると互いに無端状に連なっている。【００１３】
この構成では、複数のグランド用内部電極を、積層方向から透視して無端状（ループ状）に連なるように配置するので、グランド用内部電極よりも内側に設けられる高周波回路部が高周波ノイズの影響を受けにくい。また、積層部の外縁付近での金属密度が小さいので、製造時のガス抜け性が高い。また、積層方向でのグランド用内部電極の重なりが少ないので、積層部の外縁付近での厚みが抑制される。また、各層においてグランド用内部電極の面積が小さいので、面積利用効率が高い。また、グランド用内部電極が有端線路状で外縁部の全周よりも短いので、グランド用内部電極が誘導性を持ち難い。【００１４】
上述の高周波モジュールにおいて高周波回路部は、前記底面電極が設けられている前記積層部の一方主面とは反対側の他方主面に搭載される表面実装型素子を備え、前記グランド用の底面電極は、積層方向から透視すると前記高周波回路部に重なっていると好適である。【００１５】
この構成では、グランド用内部電極により側面方向に対するシールド性を得ながら、表面実装型素子とグランド用の底面電極とにより積層方向に対するシールド性も得られる。【００１６】
上述の高周波モジュールにおいて複数のグランド用内部電極それぞれの端部は、積層方向から透視すると積層部の角部分で互いに重なり合っていると好適である。【００１７】
この構成では、積層部の角部分での電極密度が高くなり強度が高くなる。通常、外部基板から高周波モジュールに作用する外部応力は積層部の角部分で大きいため、角部分の強度を高めることでさらに信頼性を高められる。【００１８】
上述の高周波モジュールにおいて積層部は、第１乃至第４の基材を含む立方体であり、複数のグランド用内部電極として、積層方向から視て積層部の第１の辺に沿って第１の基材に設けられている第１のグランド用内部電極と、第１の辺に直交する第２の辺に沿って第２の基材に設けられている第２のグランド用内部電極と、第２の辺に直交する第３の辺に沿って第３の基材に設けられている第３のグランド用内部電極と、第３の辺に直交する第４の辺に沿って第４の基材に設けられている第４のグランド用内部電極と、を備えていてもよい。【００１９】
上述の高周波モジュールにおいて、第１の基材と第２の基材と第３の基材と第４の基材とは、記載順に従った順番で積層方向に並んでいてもよい。【００２０】
上述の高周波モジュールにおいて積層部は、第１および第２の基材を含む立方体であり、複数のグランド用内部電極として、積層方向から視て積層部の第１の辺に沿って第１の基材に設けられている第１のグランド用内部電極と、第１の辺に対して直交する第２の辺に沿って第２の基材に設けられている第２のグランド用内部電極と、第２の辺に対して直交する第３の辺に沿って第１の基材に設けられている第３のグランド用内部電極と、第３の辺に対して直交する第４の辺に沿って第２の基材に設けられている第４のグランド用内部電極と、を備えていてもよい。【００２１】
上述の高周波モジュールにおいて積層部は、第１および第２の基材を含む立方体であり、複数のグランド用内部電極として、積層方向から視て積層部の第１の辺と第１の辺に直交する第２の辺とに沿って第１の基材に設けられている第１のグランド用内部電極と、第２の辺に直交する第３の辺と第３の辺に直交する第４の辺とに沿って第２の基材に設けられている第２のグランド用内部電極と、を備えていてもよい。
【発明の効果】
【００２２】
本発明によれば、高周波モジュールにおいて、積層部に設けられる高周波回路部が高周波ノイズの影響を受けにくく、高いシールド性が得られる。また、製造時に積層部からのガス抜け性が高いため、デラミネーションが生じにくく、高い信頼性が得られる。また、積層部の外縁付近での厚みが抑制されるため、高い平坦性が得られる。【００２３】
その上、各層において面積利用効率が高く、また、グランド用の内部電極が誘導性を持ち難いために、複雑な配線構造や良好な高周波特性を実現することが容易であり、複雑な配線構造や良好な高周波特性を実現する場合でも、基材の数や、グランド用内部電極の数、グランド用のビア電極の数を減らすことができる。これにより、極めて高い平坦度を実現することが可能である。
【図面の簡単な説明】
【００２４】
【図１】第１の実施形態に係る高周波モジュールの回路図である。
【図２】第１の実施形態に係る高周波モジュールの構造を説明する図である。
【図３】第１の実施形態に係る高周波モジュールの分解斜視図および透過図である。
【図４】第２の実施形態に係る高周波モジュールの分解斜視図および透過図である。
【図５】第３の実施形態に係る高周波モジュールの分解斜視図および透過図である。
【図６】従来例に係る高周波モジュールの積層基板を示す分解斜視図である。
【発明を実施するための形態】
【００２５】
まず、本発明の第１の実施形態に係る高周波モジュールについて説明する。
【００２６】
図１は、第１の実施形態に係る高周波モジュール１が備える高周波回路部１１の回路図である。
【００２７】
高周波回路部１１は、例えば、ＮＦＣ（Ｎｅａｒ  Ｆｉｅｌｄ  Ｃｏｍｍｕｎｉｃａｔｉｏｎ）方式のリーダライタ回路であり、アンテナ１２に接続される。
【００２８】
高周波回路部１１は、ＲＦ−ＩＣ１３と、複数の受動素子１４とを備えている。複数の受動素子１４は、低域通過フィルタ回路１５と、整合回路１６とを構成している。ＲＦ−ＩＣ１３は、低域通過フィルタ回路１５と整合回路１６とを介してアンテナ１２に接続される。ＮＦＣ方式のリーダライタ回路のような高周波回路部１１では、グランドの電位が安定することにより、各部の高周波特性、即ち低域通過フィルタ回路１５におけるフィルタ特性や、整合回路１６によるマッチング特性が安定する。
【００２９】
図２（Ａ）は、高周波モジュール１の側面側断面図である。図２（Ｂ）は、高周波モジュール１の底面側平面図である。図２（Ａ）に示す断面は、図２（Ｂ）中に破線Ｂ−Ｂ’で示す位置の断面である。
【００３０】
なお、各図では、導電性を持つ部材は実直線によるハッチングで示し、絶縁性を持つ部材は非実直線によるハッチングで示している。
【００３１】
高周波モジュール１は、前述の高周波回路部１１を構成するＲＦ−ＩＣ１３および受動素子１４に加えて、積層部２と、入出力用の底面電極３と、グランド用の底面電極４と、底面側レジスト部５と、天面電極７と、天面側レジスト部８と、を備えている。
【００３２】
積層部２は、底面を実装面とする立方体であり、ここでは後述する６層の基材を上下方向に積層して構成されている。積層部２の内部には、図１で示した高周波回路部１１において、ＲＦ−ＩＣ１３と各受動素子１４とアンテナ１２とを接続する配線が、内部電極として設けられている。
【００３３】
ＲＦ−ＩＣ１３と各受動素子１４とは、積層部２の天面に搭載されるチップ型素子として構成されている。なお、受動素子１４の一部または全部は、チップ型素子として積層部２の天面に搭載するほか、チップ型素子として積層部２に内蔵したり、積層部２の内部電極によって構成したりしてもよい。
【００３４】
天面電極７は、積層部２の天面に設けられており、ＲＦ−ＩＣ１３と各受動素子１４との端子が接合されている。天面側レジスト部８は、天面電極７の形成領域を除いて、積層部２の天面に設けられており、ＲＦ−ＩＣ１３や各受動素子１４を実装するための実装用はんだが、各天面電極７から漏れてショート不良が発生することを防ぐ機能を有している。
【００３５】
底面電極３および底面電極４は、積層部２の底面に設けられている。したがって、高周波モジュール１は、底面実装型の構成となっている。入出力用である底面電極３は、積層部２の底面において外縁に沿って配列されている小面積のパッド電極である。これらの底面電極３は、ＲＦ−ＩＣ１３を制御するための制御信号が入力される制御端子や、ＲＦ−ＩＣ１３が出力する出力信号を出力する出力端子、グランド端子などとして機能する。また、グランド用の底面電極４は、積層部２の底面において、底面電極３に囲まれる中心部を覆うように設けられている大面積のパッド電極である。
【００３６】
図２（Ｂ）に示すように、底面側レジスト部５は、複数の開口部６をマトリクス状に形成した状態で積層部２の底面に設けられており、後述する外部基板２１への実装時に、実装用はんだが、各端子から漏れてショート不良が発生することを防ぐ機能を有している。
【００３７】
各開口部６は、底面電極３または底面電極４を積層部２の底面側に露出させている。より具体的には、積層部２の外縁に沿って配列されている外側の行および列に位置する複数の開口部６は、それぞれ、複数の底面電極３のうちのいずれかの全面に対向して、それらの底面電極３の全面を積層部２の底面側に露出させている。また、積層部２の中心部付近に配列されている内側の行および列に位置する複数の開口部６は、それぞれ、底面電極４の一部に対向して、底面電極４を部分的に積層部２の底面側に露出させている。
【００３８】
図２（Ｃ）は、高周波モジュール１を外部基板に実装した状態での側面側断面図である。
【００３９】
図２（Ｃ）に示すように、高周波モジュール１は外部基板２１に実装される。外部基板２１は、表面に部品搭載電極２３，２４が設けられている。部品搭載電極２３は、前述の底面電極３を構成する複数のパッド電極と重なる領域それぞれに設けられる小面積のパッド電極である。部品搭載電極２４は、前述の底面電極４を構成する大面積のパッド電極と重なる領域に設けられる大面積の単一のパッド電極である。また、部品搭載電極２３，２４は、全面にクリーム状の実装用はんだ（はんだペースト）２５が塗布され、溶融、固化させることにより、開口部６から露出する底面電極３および底面電極４に接合している。
【００４０】
図３（Ａ）は、高周波モジュール１の分解斜視図である。図３（Ｂ）は、高周波モジュール１を積層方向の天面側から視た透過図である。なお、以下の説明では、積層部２を積層方向の天面側から視て、図３（Ｂ）中で下側を向く第１の辺を、辺Ｘ１と称する。また、図３（Ｂ）中の左側を向く第２の辺を、辺Ｙ１と称する。また、図３（Ｂ）中の上側を向く第３の辺を、辺Ｘ２と称する。また、図３（Ｂ）中の右側を向く第４の辺を、辺Ｙ２と称する。
【００４１】
積層部２の構成についてより具体的に説明すると、図３（Ａ）に示すように、高周波モジュール１の積層部２は、基材の層数が６であり、基材３１，３２，３３，３４，３５，３６を備えている。基材３１は積層部２の天面を構成しており、基材３１の天面には、前述のＲＦ−ＩＣ１３および複数の受動素子１４が搭載されている。基材３６は、積層部２の底面を構成しており、基材３６の底面には、前述の底面電極４と底面電極３とが形成されている。なお、図３（Ａ）において、底面電極４と底面電極３とは図示されていない。基材３１，３２，３３，３４，３５，３６は、記載順に従った順番で、積層部２の天面側から底面側に掛けて積層されている。
【００４２】
基材３１は、天面に前述の天面電極７が形成されており、天面電極７に接続されているビア電極が内部に形成されている。図３（Ａ）において、基材３１のビア電極と天面電極７とは図示されていない。
【００４３】
基材３２は、外縁付近の一部に、グランド用内部電極３２Ａとグランド用ビア電極３２Ｂとが形成されている。グランド用内部電極３２Ａは、積層方向の天面側から視て辺Ｘ１に沿って延伸しており、辺Ｙ１と辺Ｙ２との近傍で両端が終端する有端線路状に形成されている。また、グランド用ビア電極３２Ｂは、辺Ｘ１に沿って等間隔に配列されており、グランド用内部電極３２Ａに重なって接続されている。
【００４４】
また、基材３２は、積層方向から視てグランド用内部電極３２Ａが設けられていない領域が、配線領域１０として構成されている。基材３２の配線領域１０は、図１に示した高周波回路部１１の接続配線を構成する内部電極とビア電極とが形成されている。図３（Ａ）において基材３２の配線領域１０に形成されている配線電極とビア電極とは、図示されていない。
【００４５】
基材３３は、外縁付近の一部に、グランド用内部電極３３Ａとグランド用ビア電極３３Ｂとが形成されている。グランド用内部電極３３Ａは、積層方向の天面側から視て辺Ｙ１に沿って延伸しており、辺Ｘ１と辺Ｘ２との近傍で両端が終端する有端線路状に形成されている。また、グランド用ビア電極３３Ｂは、辺Ｙ１に沿って等間隔に配列されており、グランド用内部電極３３Ａに重なって接続されている。
【００４６】
また、基材３３は、積層方向から視てグランド用内部電極３３Ａが設けられていない領域が、配線領域１０として構成されている。基材３３の配線領域１０は、図１に示した高周波回路部１１の接続配線を構成する内部電極およびビア電極が形成されている。なお、基材３３の配線領域１０は、前述のグランド用ビア電極３２Ｂに接続されている内部電極やビア電極が形成されていてもよい。図３（Ａ）において基材３３の配線領域１０に形成されている配線電極とビア電極とは、図示されていない。
【００４７】
基材３４は、外縁付近の一部に、グランド用内部電極３４Ａとグランド用ビア電極３４Ｂとが形成されている。グランド用内部電極３４Ａは、積層方向の天面側から視て辺Ｘ２に沿って延伸しており、辺Ｙ１と辺Ｙ２との近傍で両端が終端する有端線路状に形成されている。また、グランド用ビア電極３４Ｂは、辺Ｘ２に沿って等間隔に配列されており、グランド用内部電極３４Ａに重なって接続されている。
【００４８】
また、基材３４は、積層方向から視てグランド用内部電極３４Ａが設けられていない領域が、配線領域１０として構成されている。基材３４の配線領域１０は、図１に示した高周波回路部１１の接続配線を構成する内部電極およびビア電極が形成されている。なお、基材３４の配線領域１０は、前述のグランド用ビア電極３２Ｂ，３３Ｂに接続されている内部電極やビア電極が形成されていてもよい。図３（Ａ）において基材３４の配線領域１０に形成されている配線電極とビア電極とは、図示されていない。
【００４９】
基材３５は、積層方向から視た外縁付近の一部に、グランド用内部電極３５Ａとグランド用ビア電極３５Ｂとが形成されている。グランド用内部電極３５Ａは、積層方向の天面側から視て辺Ｙ２に沿って延伸しており、辺Ｘ２と辺Ｘ１との近傍で両端が終端する有端線路状に形成されている。また、グランド用ビア電極３５Ｂは、辺Ｙ２に沿って等間隔に配列されており、グランド用内部電極３５Ａに重なって接続されている。
【００５０】
また、基材３５は、積層方向から視てグランド用内部電極３５Ａが設けられていない領域が、配線領域１０として構成されている。基材３５の配線領域１０は、図１に示した高周波回路部１１の接続配線を構成する内部電極およびビア電極が形成されている。なお、基材３５の配線領域１０は、前述のグランド用ビア電極３２Ｂ，３３Ｂ，３４Ｂに接続されている内部電極やビア電極が形成されていてもよい。図３（Ａ）において基材３５の配線領域１０に形成されている配線電極とビア電極とは、図示されていない。
【００５１】
基材３６は、積層方向から視て全域が、配線領域１０として構成されている。基材３６の配線領域１０は、図１に示した高周波回路部１１の接続配線を構成する内部電極およびビア電極が形成されている。これらの内部電極およびビア電極は、前述の入出力用の底面電極３にも接続されている。また、基材３６の配線領域１０は、前述のグランド用ビア電極３２Ｂ，３３Ｂ，３４Ｂ，３５Ｂに接続されている内部電極やビア電極が形成されている。これらの内部電極やビア電極は、前述のグランド用の底面電極４にも接続されている。図３（Ａ）において基材３６の配線領域１０に形成されている配線電極とビア電極とは、図示されていない。
【００５２】
このようにグランド用内部電極３２Ａ〜３５Ａが積層部２に形成されているため、各基材３２〜３５に設けられているグランド用内部電極３２Ａ〜３５Ａは、図３（Ｂ）に示すように積層方向の天面側から視ると、積層部２の内部で、無端状に連なる。
【００５３】
したがって、この高周波モジュール１に対して外部から来る高周波ノイズや、積層部２の内部で生じる高周波ノイズは、グランド用内部電極３２Ａ〜３５Ａが設けられている積層部２の外縁周辺の全周に亘って、グランド用内部電極３２Ａ〜３５Ａおよびグランド用ビア電極３２Ｂ〜３５Ｂに吸収や反射されることになる。これにより、各基材３１〜３６の配線領域１０を通過して設けられている高周波回路部１１は、積層部２の側面側でのシールド性が高いものになる。
【００５４】
また、積層部２の底面に設けられているグランド用の底面電極４は、図３（Ｂ）に示すように積層方向の天面側から視ると、グランド用内部電極３２Ａ〜３５Ａに囲まれる領域の全面を覆っている。したがって、この高周波モジュール１では、側面方向に対するシールド性だけでなく、積層方向の底面側でのシールド性も得られる。また、積層部２の天面は、天面電極７や各素子によって殆ど覆われているので、この高周波モジュール１では、積層方向の天面側でのシールド性も、一定程度、確保することができる。
【００５５】
このように、本実施形態に係る高周波モジュール１の構成では、積層部２のシールド性を高めることができるが、グランド用内部電極３２Ａ〜３５Ａやグランド用ビア電極３２Ｂ〜３５Ｂを設けることで、積層部２の外縁周辺での厚みが、積層部２の中心付近での厚みよりも増してしまう。
【００５６】
しかしながら、積層部２の外縁周辺においては、角部分でのみ、全てのグランド用内部電極３２Ａ〜３５Ａが重なり合い、全てのグランド用内部電極３２Ａ〜３５Ａの厚み分だけ積層部２の厚みが増し、それ以外では、グランド用内部電極３２Ａ〜３５Ａが重なり合わず、グランド用内部電極３２Ａ〜３５Ａのうちの一つの厚み分だけしか積層部２の厚みが増すことがない。
【００５７】
したがって、積層部２における外縁付近の少なくとも一部の領域で、金属密度が小さくなる。すると、積層部２の形成時に材料に含まれる溶剤成分や水分が揮散するような場合に、揮散ガスが積層部２から抜けやすくなる。したがって、積層部２の内部に揮散ガスが滞留して生じる層間のデラミネーションなどの不具合の発生が抑制されることになる。また、積層部２の角部分では金属密度が大きく、強度が局所的に高いものになる。すると、積層部２の角部分に作用する外部応力が大きい場合でも、積層部２が破壊され難くなる。したがって、外部応力による積層部２の損壊や、残留ガスによるデラミネーションの発生を抑制でき、高周波モジュールの信頼性が高いものになる。
【００５８】
また、各基材３２〜３５においては、グランド用内部電極３２Ａ〜３５Ａに占有される面積が外縁部の一辺に沿う領域の面積だけであるため、配線領域１０の占める面積が大きく、各基材３２〜３５における面積利用効率が高いものになる。したがって、高周波回路部１１の配線構造が複雑であっても、積層部２における基材の数を増す必要が無く、グランド用内部電極の数を抑制することができる。すると、グランド用内部電極による積層部２の厚みの増加も抑制することができるため、高周波回路部１１の配線構造が複雑であっても、積層部２に高い平坦性を実現することが可能である。
【００５９】
また、グランド用内部電極３２Ａ〜３５Ａは、積層部２の外縁全周の長さに比べて十分に短く、グランド用ビア電極３２Ｂ〜３５Ｂの数が少なくても、誘導性を持ち難い。したがって、グランド用内部電極３２Ａ〜３５Ａが、グランド電位からの電位差を持ち難く、良好な高周波特性を実現することが容易である。このため、良好な高周波特性を実現しながらグランド用ビア電極の数を減らすことができる。すると、製造時に、グランド用ビア電極の周辺で生じる積層部２の厚み収縮量の低下の影響を抑制することができ、積層部２の平坦度をより高めることが可能である。
【００６０】
以上の説明では、積層部２の内部で、グランド用内部電極３２Ａ〜３５Ａが螺旋状にずれるように配置される例を示したが、グランド用内部電極３２Ａ〜３５Ａの配置は、上記した配置に限られるものではない。例えば、グランド用内部電極３２Ａ〜３５Ａが設けられている基材の積層順を入れ替えるようにしてもよい。
【００６１】
また、ここでは、入出力用の底面電極３を外縁周辺に配置し、グランド用の底面電極４を内側の中心付近に配置する例を示したが、底面電極の配置はこのような配置関係に限定されるものでは無い。
【００６２】
また、ここでは、グランド用内部電極３２Ａ〜３５Ａが積層部２の角部分で重なるように配置される例を示したが、グランド用内部電極３２Ａ〜３５Ａが重なる位置は、積層部２の角部分以外であってもよく、例えば外縁の各辺中央付近で重なるようにしてもよい。
【００６３】
次に、本発明の第２の実施形態に係る高周波モジュールについて説明する。
【００６４】
図４（Ａ）は、第２の実施形態に係る高周波モジュール４１の分解斜視図である。図４（Ｂ）は、高周波モジュール４１を積層方向の天面側から視た透過図である。
【００６５】
高周波モジュール４１は、積層部４２を備えている。積層部４２は、基材の層数が４であり、基材５１，５２，５３，５６を備えている。基材５１は積層部４２の天面を構成しており、基材５１の天面には、ＲＦ−ＩＣ４３および複数の受動素子４４が搭載されている。基材５６は、積層部４２の底面を構成しており、基材５６の底面には、グランド用の底面電極４５が形成されている。基材５１，５２，５３，５６は、記載順に従った順番で、積層部４２の天面側から底面側に掛けて積層されている。
【００６６】
基材５１は、天面に天面電極が形成されており、天面電極に接続されているビア電極が内部に形成されている。
【００６７】
基材５２は、外縁付近の一部に、グランド用内部電極５２Ａ，５４Ａとグランド用ビア電極５２Ｂ，５４Ｂとが形成されている。グランド用内部電極５２Ａは、積層方向の天面側から視て辺Ｘ１に沿って延伸しており、辺Ｙ１と辺Ｙ２との近傍で両端が終端する有端線路状に形成されている。グランド用内部電極５４Ａは、積層方向の天面側から視て辺Ｘ２に沿って延伸しており、辺Ｙ１と辺Ｙ２との近傍で両端が終端する有端線路状に形成されている。グランド用ビア電極５２Ｂは、辺Ｘ１に沿って等間隔に配列されており、グランド用内部電極５２Ａに重なって接続されている。グランド用ビア電極５４Ｂは、辺Ｘ２に沿って等間隔に配列されており、グランド用内部電極５４Ａに重なって接続されている。
【００６８】
また、基材５２は、積層方向から視てグランド用内部電極５２Ａ，５４Ａが設けられていない領域が、配線領域１０として構成されている。基材５２の配線領域１０は、高周波回路部の接続配線を構成する内部電極とビア電極とが形成されている。
【００６９】
基材５３は、外縁付近の一部に、グランド用内部電極５３Ａ，５５Ａとグランド用ビア電極５３Ｂ，５５Ｂとが形成されている。グランド用内部電極５３Ａは、積層方向の天面側から視て辺Ｙ１に沿って延伸しており、辺Ｘ１と辺Ｘ２との近傍で両端が終端する有端線路状に形成されている。グランド用内部電極５５Ａは、積層方向の天面側から視て辺Ｙ２に沿って延伸しており、辺Ｘ１と辺Ｘ２との近傍で両端が終端する有端線路状に形成されている。グランド用ビア電極５３Ｂは、辺Ｙ１に沿って等間隔に配列されており、グランド用内部電極５３Ａに重なって接続されている。グランド用ビア電極５５Ｂは、辺Ｙ２に沿って等間隔に配列されており、グランド用内部電極５５Ａに重なって接続されている。
【００７０】
また、基材５３は、積層方向から視てグランド用内部電極５３Ａ，５５Ａが設けられていない領域が、配線領域１０として構成されている。基材５３の配線領域１０は、高周波回路部の接続配線を構成する内部電極およびビア電極が形成されている。なお、基材５３の配線領域１０は、前述のグランド用ビア電極５２Ｂ，５４Ｂに接続されている内部電極やビア電極が形成されていてもよい。
【００７１】
基材５６は、積層方向から視て全域が、配線領域１０として構成されている。基材５６の配線領域１０は、高周波回路部の接続配線を構成する内部電極およびビア電極が形成されている。また、基材５６の配線領域１０は、前述のグランド用ビア電極５２Ｂ，５３Ｂ，５４Ｂ，５５Ｂに接続されている内部電極やビア電極が形成されている。これらの内部電極やビア電極は、グランド用の底面電極４５にも接続されている。
【００７２】
このようにグランド用内部電極５２Ａ〜５５Ａが積層部４２に形成されているため、グランド用内部電極５２Ａ〜５５Ａは、図４（Ｂ）に示すように積層方向の天面側から視ると、積層部４２の内部で、無端状に連なっている。
【００７３】
このような構成の高周波モジュール４１においても、第１の実施形態と同様な効果が得られる。
【００７４】
次に、本発明の第３の実施形態に係る高周波モジュールについて説明する。
【００７５】
図５（Ａ）は、第３の実施形態に係る高周波モジュール６１の分解斜視図である。図５（Ｂ）は、高周波モジュール６１を積層方向の天面側から視た透過図である。
【００７６】
高周波モジュール６１は、積層部６２を備えている。積層部６２は、基材の層数が４であり、基材７１，７２，７３，７６を備えている。基材７１は積層部６２の天面を構成しており、基材７１の天面には、ＲＦ−ＩＣ６３および複数の受動素子６４が搭載されている。基材７６は、積層部６２の底面を構成しており、基材７６の底面には、グランド用の底面電極６５が形成されている。基材７１，７２，７３，７６は、記載順に従った順番で、積層部６２の天面側から底面側に掛けて積層されている。
【００７７】
基材７１は、天面に天面電極が形成されており、天面電極に接続されているビア電極が内部に形成されている。
【００７８】
基材７２は、外縁付近の一部に、グランド用内部電極７２Ａとグランド用ビア電極７２Ｂとが形成されている。グランド用内部電極７２Ａは、積層方向の天面側から視て辺Ｘ１および辺Ｙ１に沿って延伸しており、辺Ｘ２や辺Ｙ２との近傍で両端が終端する有端線路状に形成されている。グランド用ビア電極７２Ｂは、辺Ｘ１および辺Ｙ１に沿って等間隔に配列されており、グランド用内部電極７２Ａに重なって接続されている。
【００７９】
また、基材７２は、積層方向から視てグランド用内部電極７２Ａが設けられていない領域が、配線領域１０として構成されている。基材７２の配線領域１０は、高周波回路部の接続配線を構成する内部電極とビア電極とが形成されている。
【００８０】
基材７３は、外縁付近の一部に、グランド用内部電極７３Ａとグランド用ビア電極７３Ｂとが形成されている。グランド用内部電極７３Ａは、積層方向の天面側から視て辺Ｘ２および辺Ｙ２に沿って延伸しており、辺Ｘ１と辺Ｙ１との近傍で両端が終端する有端線路状に形成されている。グランド用ビア電極７３Ｂは、辺Ｘ２および辺Ｙ２に沿って等間隔に配列されており、グランド用内部電極７３Ａに重なって接続されている。
【００８１】
また、基材７３は、積層方向から視てグランド用内部電極７３Ａが設けられていない領域が、配線領域１０として構成されている。基材７３の配線領域１０は、高周波回路部の接続配線を構成する内部電極およびビア電極が形成されている。なお、基材７３の配線領域１０は、前述のグランド用ビア電極７２Ｂに接続されている内部電極やビア電極が形成されていてもよい。
【００８２】
基材７６は、積層方向から視て全域が、配線領域１０として構成されている。基材７６の配線領域１０は、高周波回路部の接続配線を構成する内部電極およびビア電極が形成されている。また、基材７６の配線領域１０は、前述のグランド用ビア電極７２Ｂ，７３Ｂに接続されている内部電極やビア電極が形成されている。これらの内部電極やビア電極は、グランド用の底面電極６５にも接続されている。
【００８３】
このようにグランド用内部電極７２Ａ，７３Ａが積層部６２に形成されているため、グランド用内部電極７２Ａ，７３Ａは、図５（Ｂ）に示すように積層方向の天面側から視ると、積層部６２の内部で、無端状に連なっている。
【００８４】
このような構成の高周波モジュール６１においても、第１の実施形態と同様な効果が得られる。
【符号の説明】
【００８５】
１，４１，６１…高周波モジュール
２，４２，６２…積層部
３，４，４５，６５…底面電極
５…底面側レジスト部
６…開口部
７…天面電極
８…天面側レジスト部
１０…配線領域
１１…高周波回路部
１２…アンテナ
１３，４３，６３…ＲＦ−ＩＣ
１４，４４，６４…受動素子
１５…低域通過フィルタ回路
１６…整合回路
２１…外部基板
２３，２４…部品搭載電極
３１，３２，３３，３４，３５，３６，５１，５２，５３，５６，７１，７２，７３，７６…基材
３２Ａ，３３Ａ，３４Ａ，３５Ａ，５２Ａ，５３Ａ，５４Ａ，５５Ａ，７２Ａ，７３Ａ…グランド用内部電極
３２Ｂ，３３Ｂ，３４Ｂ，３５Ｂ，５２Ｂ，５３Ｂ，５４Ｂ，５５Ｂ，７２Ｂ，７３Ｂ…グランド用ビア電極
【要約】
高周波モジュールは、積層部（２）と、底面電極（４）と、グランド用内部電極（３２Ａ，３３Ａ，３４Ａ，３５Ａ）と、を備えている。底面電極（４）は、グランド用であり、積層部（２）の底面に設けられている。積層部（２）は、高周波回路部の配線が内部を通過する配線領域（１０）を有している。グランド用内部電極（３２Ａ〜３５Ａ）は、それぞれ、積層部（２）のいずれかの層間に設けられて底面電極（４）に接続されており、積層部（２）の外縁に沿って配線領域（１０）の外側を延伸する有端線路からなる。グランド用内部電極（３２Ａ〜３５Ａ）を、積層部（２）の積層方向から透視すると、互いに無端状に連なっている。【図１】
0005610111.tif 000002
【図２】
0005610111.tif 000003
【図６】
0005610111.tif 000004
【図３】
0005610111.tif 000005
【図４】
0005610111.tif 000006
【図５】
0005610111.tif 000007